(57)【特許請求の範囲】
【請求項１】
ガイドプレートに突設されたリフティングガイドの案内を受けながら、駆動ローラの回転力で昇降するリフターを介してシャッターを開閉するパッケージ型エアコンの室内機のシャッター駆動装置において、
前記リフティングガイドは、前記リフティングガイドの外壁面と前記リフターの内壁面との間の摩擦を減少させるための摩擦減少手段を備えることを特徴とするパッケージ型エアコンの室内機のシャッター駆動装置。
【請求項２】
前記摩擦減少手段は、リフティングガイドに形成された円筒状の複数のローラ受け入れ部と、
前記ローラ受け入れ部に挿設されて前記リフターの内壁面と線接触するガイドローラと、
前記ガイドローラの一端に延設されており、前記リフティングガイドに形成された軸孔を通じて貫設され、ピン孔を有するローラ軸と、
前記ローラ軸のピン孔に挿着される固定ピンと、
からなることを特徴とする請求項１に記載のパッケージ型エアコンの室内機のシャッター駆動装置。
【請求項３】
前記ガイドローラは、ＡＢＳ材料で形成されることを特徴とする請求項２に記載のパッケージ型エアコンの室内機のシャッター駆動装置。
【発明の詳細な説明】
【０００１】
【発明の属する技術分野】
本発明はパッケージ型エアコンの室内機のシャッター駆動装置に関するもので、より詳しくは、駆動ローラを通じて伝えられる駆動モーターの作動力により上下に移動しながら、 シャッターを昇降させるリフターと、このリフターの上下移動を案内するリフティングガイドとの間に複数のガイドローラを配設することによって、リフターとリフティングガイドとの間の接触形態を面接触から線接触に変更して摩擦力及びそれによる騷音を低減し、駆動トルクの減少ができるパッケージ型エアコンの室内機のシャッター駆動装置に関するものである。
【０００２】
【従来の技術】
一般的に、エアコンは天気が蒸し暑い夏季に事務室や居間、または建物の内部などのように密閉された室内の空間に冷気を供給して活動に適合した温度を維持するもので、空気調和を基本とする。
【０００３】
このようなエアコンは圧縮機及び凝縮機と蒸発機の配設形態によって一体型と分離型に区別できる。この中で、圧縮機及び凝縮機と蒸発機が一つのケース内に設けられる一体型エアコンの代表的な例としては窓型エアコンがある。一方、分離型エアコンは、圧縮機と凝縮機とからなる室外機と、膨張弁と蒸発機とからなる室内機に分離されて構成される。分離型エアコンには室内機を壁面に付着させる壁掛け型エアコンと室内機を床面に立設するパッケージ型エアコンがある。
【０００４】
本発明では、分離型エアコンの中でも特に室内機を床面に立設するパッケージ型エアコンについて開示する。通常、パッケージ型エアコンは室内機と室外機とからなり、室内機内には膨脹弁と蒸発機とが設けられる。この室内機では、ブローアで吸入した室内の空気が蒸発機の周辺を通過しながら、蒸発機の配管内を流動する冷媒との熱交換を通じて冷却された後、再び室内に供給されることによって室内を冷房する。一方、室外機内には冷媒を圧縮する圧縮機と圧縮された冷媒を冷却する凝縮機が設けられている。
【０００５】
図１は、一般的なパッケージ型エアコンの室内機を示す斜視図である。
前述のように、パッケージ型エアコンの室内機において、冷気を室内に吐出するための空気吐出口１５が前面の上部に形成されており、この空気吐出口１５には吐出空気の方向を調節するための複数のブレード２０が上下に回動自在に設けられる。
【０００６】
最近では、エアコンの非使用時に、空気吐出口１５を通じて異質物が室内機内に流入することを防止するために、空気吐出口１５にシャッター１０を設ける場合もある。シャッター１０は空気吐出口１５に上下移動自在に取り付いている。
【０００７】
図２はこのようなシャッターの構成を示す側面断面図であり、図３は従来のパッケージ型エアコンの室内機のシャッター駆動装置を示す正面断面図であり、図４は図３のE部分の拡大図であり、図５は図４のA-A線断面図である。
【０００８】
これらの図面に示すように、室内機の上部前面に形成された空気吐出口１５には、室内に吐出される冷気の方向を調節するための複数のブレード２０が上下に回動自在に設けられている。また、ブレード２０の前方にはエアコンの非使用時に空気吐出口１５を通した室内機内への異質物の流入を防止するためのシャッター１０が上下に移動自在に取り付いている。
【０００９】
シャッター１０の上下移動のために、外部から供給される電気により作動する駆動モーター４０が具備されており、この駆動モーター４０には駆動ローラ４５が回転自在に装着されている。駆動ローラ４５は駆動ローラ支持部材５０により定位置で回転されるように支持される。この駆動ローラ４５はリフター３０と作動的に当接されている。
【００１０】
駆動ローラ４５に当接するリフター３０の一側面には、すべり止めのための複数のスリップ止め突条３５が形成されている。リフター３０の上段はコネクティングロッド２５を介してシャッター１０に連結され、下段はリフティングガイド５５と連結される。また、ガイドプレート７０の上にはリフター３０の離脱を防止しながら上下方向の移動を案内するための複数の離脱防止片６０が形成されている。
【００１１】
さらに、コネクティングロッド２５の上段がシャッター１０の背面に連結されると共に、下段がリフター３０の上段に連結されているので、リフター３０は駆動ローラ４５を介して伝えられる駆動モーター４０の作動力により上下に移動するようになる。この時、リフター３０の上下移動はコネクティングロッド２５を介してシャッター１０に伝えられてこれを上下に開閉させるようになる。
【００１２】
すなわち、駆動モーター４０に電気が供給されれば、駆動モーター４０が回転しながら駆動ローラ支持部材５０により支持されている駆動ローラ４５が回転するようになる。駆動ローラ４５の回転によって、これと当接しているリフター３０が上昇または下降するようになり、リフター３０の上下移動はコネクティングロッド２５を介してシャッター１０に伝えられる。これによってエアコンの作動状態に伴って室内機の前面上部に形成された空気吐出口１５の開閉が可能になる。
【００１３】
しかし、従来のシャッター駆動装置では、駆動ローラ４５はリフター３０との相互すべりを防止するために付勢および当接された状態で動力を伝達するため、リフティングガイド５５の外壁とリフター３０の内壁との間の面接触状態におけるリフター３０の駆動によって、摩耗及び騷音が発生し、前述した摩擦に抗するために駆動モーター４０に与える負荷が増大する問題点があった。
【００１４】
【発明が解決しようとする課題】
したがって、本発明の目的は、リフティングガイドの案内を受けながらシャッターを昇降させるリフターの内壁面とリフティングガイド外壁面との間の面接触方式を、複数のガイドローラを使用して線接触方式に変更して、リフターとリフティングガイドとの間の摩擦力を減少して騷音を低減すると共に、駆動モーターに与えられる負荷を減少することができるパッケージ型エアコンの室内機のシャッター駆動装置を提供することにある。
【００１５】
【課題を解決するための手段】
前述の目的を達成するために、本発明に係るパッケージ型エアコンの室内機のシャッター駆動装置は、ガイドプレートに突設されたリフティングガイドの案内を受けながら、駆動ローラの回転力で昇降するリフターを介してシャッターを開閉するパッケージ型エアコンの室内機のシャッター駆動装置において、前記リフティングガイドは、前記リフティングガイドの外壁面と前記リフターの内壁面との間の摩擦を減少させるための摩擦減少手段を備えることを特徴とする。
【００１６】
また、前記摩擦減少手段は、リフティングガイドに形成された円筒状の複数のローラ受け入れ部と、前記ローラ受け入れ部に挿設されて前記リフターの内壁面と線接触するガイドローラと、前記ガイドローラの一端に延設されており、前記リフティングガイドに形成された軸孔を通じて貫設され、ピン孔を有するローラ軸と、前記ローラ軸のピン孔に挿着される固定ピンと、からなる。
【００１７】
さらに、前記ガイドローラは、ABS(acrylonitrile butadiene styrene)材で形成することが好ましい。
【００１８】
【発明の実施の形態】
以下、図面を参照しながら本発明の好ましい実施の形態について詳細に説明する。また、本実施の形態においては、従来の構成と同一な部分は同一符号及び名称を使用し、重複部分の説明は省略する。
【００１９】
図６は本発明に係るパッケージ型エアコンの室内機のシャッター駆動装置を示す正面構成図であり、図７は図６のB-B線断面図であり、図８は本発明に係るパッケージ型エアコンの室内機のシャッター駆動装置を示す斜視図である。
【００２０】
これらの図面に示すように、本発明のパッケージ型エアコンの室内機のシャッター駆動装置は、外部からの電気により作動する駆動モーター４０と、この駆動モーター４０により回転する駆動ローラ４５と、この駆動ローラ４５を回転自在に支持する駆動ローラ支持部材５０と、駆動ローラ４５の回転に伴って上下に移動するリフター３０と、このリフター３０の上下移動をシャッター１０に伝達するコネクティングロッド２５とを含む。従来と同様に、ガイドプレート７０はリフター３０及びリフティングガイド５５の上下移動を案内するための複数の離脱防止片６０を備える。
【００２１】
前述のように、駆動モーター４０への通電で駆動ローラ４５が回転すれば、駆動ローラ４５と当接しているリフター３０が上下に移動しながらコネクティングロッド２５を介してシャッター１０を上昇または下降させるようになる。
【００２２】
ここで、本発明の構成上の要旨はリフティングガイド５５の案内を受けながら、シャッター１０を上下に直線移動させるリフター３０の内壁面とリフティングガイド５５の外壁面との間の接触方式を、面接触から線接触に変更したことにあり、このために複数のガイドローラ６５を含む摩擦減少手段Fを開示する。
【００２３】
本発明の摩擦減少手段Fは、リフティングガイド５５に形成された円筒状の複数のローラ受け入れ部９５と、このローラ受け入れ部９５に回転自在に挿設されてリフター３０の内壁面と線接触するガイドローラ６５と、このガイドローラ６５の一端に延設されており、リフティングガイド５５に形成された軸孔９０に貫設され、ピン孔８０を有するローラ軸７５と、このローラ軸７５のピン孔８０に挿着される固定ピン８５とからなる。
【００２４】
この時、ガイドローラ６５は、熱可塑性樹脂のABS(acrylonitrile butadiene styrene)材質で形成することがより好ましい。ABSは一般的にアクリロニトリルとブタジエンの混成重合体及びスチレンとブタジエンの混成重合体を混合して製造するもので、耐摩耗性と寸法安全性が優れると共に、耐熱性及び剛性に優れた材質である。
【００２５】
以下、前述のような構成を有する本発明に係るパッケージ型エアコンの室内機のシャッター駆動装置についての組立過程と作用及び効果を添付図面に基づいて詳細に説明する。
【００２６】
まず、ローラ受け入れ部９５にガイドローラ６５を挿入する過程で、ローラ受け入れ部９５の軸孔９０にはガイドローラ６５のローラ軸７５を挿設する。次に、ガイドプレート７０の背面側でローラ軸７５のピン孔８０に固定ピン８５を挿着してガイドローラ６５を回転自在に設ける。以後、リフター３０にリフティングガイド５５を当接させる。
【００２７】
以上のように結合した後、駆動モーター４０の駆動力により駆動ローラ４５が回転すれば、駆動ローラ４５と当接しているリフター３０が上下に移動するようになり、それによってコネクティングロッド２５を介してシャッター１０が上下に移動しながら空気吐出口１５を開閉する。
【００２８】
この時、リフター３０はリフティングガイド５５と離脱防止片６０との間で離脱が防止された状態で上下に移動する。この過程で、ガイドローラ６５により、リフター３０とリフティングガイド５５との接触方式が、従来の面接触から線接触に変わるようになる。従って、ガイドローラ６５によってリフティングガイド５５の外壁面とリフター３０の内壁面の接触面は大きく減少して摩擦による騷音が低減する。また、摩擦に抗するために駆動モーター４０に与えられた負荷が低減できるので、エネルギーの節減及びモーターの容量が減少できる。
【００２９】
本実施の形態では、本発明の摩擦減少手段としてガイドローラを使用した例について図示及び説明したが、本発明の主な目的はリフター３０とリフティングガイド５５との接触方式を、面接触を線接触に変更して摩擦を減少させることにあるので、前述のような構成に限らず、本発明の思想及び領域から外れない範囲内で多様に修正及び変更することができるのは、当業者に明らかになるであるう。
【００３０】
【発明の効果】
以上のように、本発明に係るパッケージ型エアコンの室内機のシャッター駆動装置によれば、リフティングガイドの案内を受けながらシャッターを昇降させるリフターの内壁面とリフティングガイドの外壁面との間の面接触を、複数のガイドローラを使用して線接触に変更することによって、リフターとリフティングガイドとの間の摩擦及びこれによる騷音を大幅に減少させると共に、駆動モーターの負荷を低減させることができる。
【図面の簡単な説明】
【図１】 一般的なパッケージ型エアコンの室内機を示す斜視図である。
【図２】 一般的なパッケージ型エアコンの室内機のシャッター構造を示す側面断面図である。
【図３】 従来のパッケージ型エアコンの室内機のシャッター駆動装置を示す正面断面図である。
【図４】 図３のE部分の拡大図である。
【図５】 図４の A-A線断面図である。
【図６】 本発明に係るパッケージ型エアコンの室内機のシャッター駆動装置を示す正面断面図である。
【図７】 図６のB-B線断面図である。
【図８】本発明に係るパッケージ型エアコンの室内機のシャッター駆動装置の摩擦減少構造を示す斜視図である。
【符号の説明】
１０  シャッター
１５  空気吐出口
２０  ブレード
２５  コンロッド
３０  リフター
３５  スリップ止め突条
４０  駆動モーター
４５  駆動ローラ
５０  駆動ローラ支持部材
５５  リフティングガイド
６０  離脱防止片
６５  ガイドローラ
７０  ガイドプレート
７５  ローラ軸
８０  ピン孔
８５  固定ピン
９０  軸孔
９５  ローラ受け入れ部
F     摩擦減少手段
【図１】
0003653634.tif 000002
【図２】
0003653634.tif 000003
【図３】
0003653634.tif 000004
【図４】
0003653634.tif 000005
【図５】
0003653634.tif 000006
【図６】
0003653634.tif 000007
【図７】
0003653634.tif 000008
【図８】
0003653634.tif 000009